(57)【特許請求の範囲】
【請求項１】
カメラと接続された画像処理装置であって、
前記カメラの被写体の映像を前記カメラから受信する受信手段と、
前記カメラの被写体の映像を表示させる表示手段と、
アイコンが前記映像にドロップされた位置を検知する検知手段と、
前記アイコンと関連づけられた設定ファイルを取得する取得手段と、
前記検知された位置および前記設定ファイルに基づいて、撮影処理を実行するための制御コマンドを生成する生成手段と、
前記制御コマンドを前記カメラに送信する送信手段とを備え、
前記制御コマンドに含まれる前記検知された位置に基づく位置情報は、前記カメラの撮像部の撮影範囲における座標と対応し、
前記制御コマンドにしたがって前記カメラは前記被写体の撮影処理を実行することを特徴とする画像処理装置。
【請求項２】
前記設定ファイルの項目は、記録画質、ファイルサイズ、シャッタースピード、絞り数値、測光モード、合焦のＯＮ／ＯＦＦ、ストロボ発光のＯＮ／ＯＦＦ、ホワイトバランスのＯＮ／ＯＦＦ、顔検出のＯＮ／ＯＦＦ、露出補正、ＩＳＯ感度および撮影モードのうち少なくとも１つであることを特徴とする請求項１に記載の画像処理装置。
【請求項３】
前記生成手段は、前記検知された位置を含む所定の範囲でのスポット測光、前記検知された位置での合焦、前記検知された位置を白にするホワイトバランス調整および前記検知された位置を中心とした顔検出のうち少なくとも１つを行って撮影処理するよう指示するためのコマンドを生成することを特徴とする請求項１または２に記載の画像処理装置。
【請求項４】
カメラと接続された画像処理装置の制御方法であって、
前記カメラの被写体の映像を前記カメラから受信するステップと、
前記カメラの被写体の映像を表示させるステップと、
アイコンが前記映像にドロップされた位置を検知するステップと、
前記アイコンと関連づけられた設定ファイルを取得するステップと、
前記検知された位置および前記設定ファイルに基づいて画像処理を実行するための制御コマンドを生成するステップと、
前記制御コマンドを前記カメラに送信するステップとを備え、
前記制御コマンドに含まれる前記検知された位置に基づく位置情報は、前記カメラの撮像部の撮影範囲における座標と対応し、
前記制御コマンドにしたがって前記カメラは前記被写体の撮影処理を実行することを特徴とする制御方法。
【請求項５】
カメラと接続されたコンピュータに、
前記カメラの被写体の映像を前記カメラから受信するステップと、
前記カメラの被写体の映像を表示させるステップと、
アイコンが前記映像にドロップされた位置を検知するステップと、
前記アイコンと関連づけられた設定ファイルを取得するステップと、
前記検知された位置および前記設定ファイルに基づいて画像処理を実行するための制御コマンドを生成するステップと、
前記制御コマンドを前記カメラに送信するステップとを実行させ、
前記制御コマンドに含まれる前記検知された位置に基づく位置情報は、前記カメラの撮像部の撮影範囲における座標と対応し、
前記制御コマンドにしたがって前記カメラは前記被写体の撮影処理を実行することを特徴とするプログラム。
【発明の詳細な説明】
【技術分野】
【０００１】
本発明は、画像処理の際に用いられるパラメータの設定に関する。
【背景技術】
【０００２】
従来、パーソナルコンピュータが撮影制御パラメータを設定し、遠隔にあるカメラに送信すると、カメラがその撮影制御パラメータに基づいて撮影処理を実行することが行われている。
【特許文献１】特開２００７−２０８５２６号公報
【発明の開示】
【発明が解決しようとする課題】
【０００３】
ユーザは、さらにカメラの撮影範囲における位置を指定して、撮影処理を制御したい場合がある。例えば、スポット測光において、測光位置を指定して、露出を決めたい場合などが上げられる。
【０００４】
そこで、本発明は、ユーザが手間を掛けずに、画像処理の制御パラメータおよび基準位置を直感的な操作で容易に設定できるようにすることを目的とする。
【課題を解決するための手段】
【０００５】
上記した課題を解決するために、本発明は、カメラと接続された画像処理装置であって、前記カメラの被写体の映像を前記カメラから受信する受信手段と、前記カメラの被写体の映像を表示させる表示手段と、アイコンが前記映像にドロップされた位置を検知する検知手段と、前記アイコンと関連づけられた設定ファイルを取得する取得手段と、前記検知された位置および前記設定ファイルに基づいて、撮影処理を実行するための制御コマンドを生成する生成手段と、前記制御コマンドを前記カメラに送信する送信手段とを備え、前記制御コマンドに含まれる前記検知された位置に基づく位置情報は、前記カメラの撮像部の撮影範囲における座標と対応し、前記制御コマンドにしたがって前記カメラは前記被写体の撮影処理を実行することを特徴とする。
【発明の効果】
【０００６】
本発明によれば、ユーザは、カメラと接続された画像処理装置において、カメラから受信した被写体の映像にアイコンをドロップ操作するだけで、簡単にカメラの撮影制御のパラメータの値や基準位置を一括して設定できるので、ユーザの利便性が向上する。
【発明を実施するための最良の形態】
【０００７】
以下、本発明の実施形態について図面に基づいて説明する。
【０００８】
（第１の実施形態）
図１はカメラ１００および画像処理装置１０１を有する、画像処理システムの機能構成の一例を示す図である。図１に示されるように、カメラ１００は撮像部１１１、現像部１１２、記憶部１１３、制御部１１４、操作部１１５、表示部１１６、通信部１１７を有する。画像処理装置１０１は記憶部１２１、制御部１２２、通信部１２３、表示部１２４、操作部１２５を有する。
【０００９】
カメラ１００の各機能構成は制御部１１４による制御に応じて以下の動作を実行する。撮像部１１１は、測光パラメータや測距パラメータ、シャッタースピード等の設定にしたがって、撮像素子が被写体から受けた光を電気信号に変換する。また、ズーム倍率やストロボ発光ＯＮ／ＯＦＦの設定にしたがってレンズのズーム倍率やストロボの電源が調整された上で、撮像部１１１による上述の撮影が行われる。現像部１１２は電気信号に対して、圧縮処理や伸張処理を行い、画像ファイルを作成する。現像部１１２は、記録画質やホワイトバランスの設定にしたがって、画像ファイルを作成する。
【００１０】
通信部１１７は他のカメラや画像処理装置１０１等の外部機器とデータを送受信する。記憶部１１３は撮影処理や現像処理で用いられる撮影制御パラメータや、画像ファイルを記憶する。表示部１１６は各種画面や画像を液晶ディスプレイ等の表示装置に出力する。操作部１１５は方向ボタン、ダイアル、光学式デジタイザ、タッチペン等の入力装置が操作されることによって入力された入力情報を受け取り、制御部１１４に伝達する。
【００１１】
次に画像処理装置１０１について説明する。画像処理装置１０１は、パーソナルコンピュータ等で実現できる。画像処理装置１０１の各機能構成は制御部１２２による制御に応じて以下の動作を実行する。通信部１２３はカメラ１００や他の画像処理装置等の外部機器とデータを送受信する。記憶部１２１は、ＯＳ（Ｏｐｅｒａｔｉｎｇ  Ｓｙｓｔｅｍ）、遠隔撮影ソフトウェアプログラム、撮影制御パラメータ、画像ファイル、撮影設定ファイル等を記憶する。表示部１２４は遠隔撮影ソフトウェアプログラムの画面を液晶ディスプレイ等の表示装置に出力する。操作部１２５はキーボード、ポインティングデバイス、タッチペン、光学式デジタイザ等の入力装置が操作されることによって入力された入力情報を受け取り、制御部１２２に伝達する。
【００１２】
次に、本実施形態において、画像処理装置１０１がカメラ１００に対して撮影設定の変更を指示する処理について、図２のフローチャートを参照して説明する。以下に説明する処理は、画像処理装置１０１の制御部１２２がＯＳや遠隔撮影ソフトウェアプログラムを記憶部１２１から読み出して起動し、それらにしたがって動作し、各種モジュール（機能構成）を制御することにより実現される。なお、画像処理装置１０１およびカメラ１００は、有線または無線によって互いに接続されて通信を確立している。
【００１３】
本処理を開始する際に、画像処理装置１０１が遠隔撮影ソフトウェアプログラムを起動すると、図３（ａ）に示すような遠隔撮影制御画面３００が表示部１２４により表示装置３１１に表示される。図３（ａ）において、３０１はライブビュー領域であり、現在、カメラ１００の撮像部１１１が捉えている被写体の映像が、カメラ１００から画像処理装置１０１に送信され、表示されている。３０２はレリーズボタンであり、ユーザのクリック操作に応答して、画像処理装置１０１はカメラ１００にレリーズ指示を送信する。３０３〜３０５にはカメラ１００における現在の撮影設定の内容が表示される。表示中の撮影設定の内容は、ユーザによる操作に応答して個々に変更可能であり、画像処理装置１０１がカメラ１００に変更を通知すると、カメラ１００は設定内容を変更することもできる。図３において、３０３はＩＳＯ感度、３０４は記録画質、３０５はホワイトバランスの設定表示欄である。
【００１４】
ステップＳ２０１において、画像処理装置１０１は操作部１２５を介して、図３（ｂ）に示すように撮影設定アイコン３２１が遠隔撮影制御画面３００のライブビュー領域３０１にドロップされたか否かを検知する。
【００１５】
撮影設定アイコン３２１は、撮影設定ファイルに関連づけられたアイコンであり、撮影設定ファイルのファイルパスを保持する。
【００１６】
撮影設定ファイルには、図４に示すような撮影時の設定項目についてその値が記述されている。例えば、図４（ａ）〜（ｄ）に示すようなものがあげられる。記録画質、ファイルサイズ、シャッタースピード、絞り数値、測光モード、クリック合焦ＯＮ／ＯＦＦ、ストロボ発光ＯＮ／ＯＦＦ、クリックホワイトバランスＯＮ／ＯＦＦ、顔検出ＯＮ／ＯＦＦ、露出補正、ＩＳＯ感度、撮影モード等である。
【００１７】
ここで、クリック合焦とは、ライブビュー領域に表示された映像で、クリック操作により指定した位置に合焦する機能である。また、クリックホワイトバランスとは、ライブビュー領域に表示された映像で、クリック操作により指定した位置が白くなるようにホワイトバランスを調整する機能である。
【００１８】
なお、撮影設定ファイルは画像ファイルであってもよく、この場合、当該画像ファイルに含まれる画像データの撮影に用いられた各設定項目の値が利用される。例えば、Ｅｘｉｆ形式の画像ファイルには、規格にしたがって各設定項目の値がメタデータとして格納されている。
【００１９】
また、画像処理装置１０１は撮影設定ファイルを、インターネット上のＷｅｂサーバからダウンロードしたり、カメラ１００から受信したり、画像処理装置１０１上でユーザの設定操作により作成される等して、記憶部１２１に予め記憶している。
【００２０】
ステップＳ２０１で撮影設定アイコン３２１がライブビュー領域３０１にドロップされたと検知されたとき、ステップＳ２０２において、画像処理装置１０１は撮影設定アイコンのドロップ位置を検知し、位置情報を取得する。また、撮影設定アイコンと対応する撮影設定ファイルを取得する。撮影設定アイコンのドロップ位置情報は、例えば、ライブビュー領域３０１に表示されている撮影範囲の左下を原点として表される座標である。
【００２１】
ステップＳ２０３において、画像処理装置１０１はステップＳ２０２で取得したドロップ位置情報および撮影設定ファイルに記述された各設定項目の値に基づいて、撮影設定コマンドを生成する。
【００２２】
例えば、図４（ａ）に示すように、測光モードに“スポット測光”が設定されているときは、ドロップ位置を含む所定の範囲でスポット測光するための撮影制御コマンドを生成する。ここで、所定の範囲は遠隔撮影制御プログラムやカメラ１００に予め設定されており、一般的には、撮影範囲の２〜３％程度、受光角で１〜２度程度である。遠隔撮影制御プログラムで設定された範囲を利用する場合は、この範囲に関する情報も撮影設定コマンドに含まれる。
【００２３】
あるいは、図４（ｂ）に示すように、クリック合焦設定がＯＮであれば、ドロップ位置を合焦位置にするというコマンドを生成する。
【００２４】
あるいは、図４（ｃ）に示すように、クリックホワイトバランスの設定がＯＮであれば、ドロップ位置を白にするようにホワイトバランスを調整するというコマンドを生成する。
【００２５】
あるいは、図４（ｄ）に示すように、顔検出モードが“ＯＮ”に設定されているとき、ドロップ位置を中心として顔検出を行い、検出された顔にピントを合わせるための撮影設定コマンドを生成する。
【００２６】
次にステップＳ２０４において、画像処理装置１０１は通信部１２３を介して、ステップＳ２０３で生成した撮影設定コマンドをカメラ１００に送信する。
【００２７】
次に、カメラ１００の動作について説明する。以下に説明する処理は、カメラ１００の制御部１１４が内蔵されたＯＳやファームウエアプログラムにしたがって動作し、各種モジュールを制御することにより実現される。
【００２８】
ステップＳ２１１において、カメラ１００は通信部１１７を介して、撮影設定コマンドを画像処理装置１０１から受信したか検知する。受信したと検知されたとき、ステップＳ２１２の処理に進む。
【００２９】
ステップＳ２１２において、カメラ１００はステップＳ２１１で受信した撮影設定コマンドを解析し、撮影制御パラメータを算出する。
【００３０】
なお、撮影設定コマンドに含まれるドロップ位置情報は、画像処理装置１０１でライブビュー領域３０１に表示された範囲、つまり、撮像部１１１の撮影範囲における座標と対応する。
【００３１】
例えば、撮影設定コマンドが、ドロップ位置でのスポット測光を指示するものであった場合、カメラ１００は、ドロップ位置を含む所定の範囲を測光の対象範囲として求める。そして、求められた範囲で測光を行い、露出パラメータを決定する。そして、ステップＳ２１３で、記憶部１１３に記録された露出パラメータを更新する。
【００３２】
あるいは、撮影設定コマンドがドロップ位置で合焦するというものであれば、ドロップ位置から合焦位置を求める。そして、ステップＳ２１３で、記憶部１１３に記録された焦点検出パラメータを更新する。
【００３３】
あるいは、コマンドがドロップ位置を白にするようにホワイトバランスを調整するというものであれば、白にする基準位置をドロップ位置から求める。そして、ステップＳ２１３で、記憶部１１３に記録されたホワイトバランスパラメータを更新する。
【００３４】
あるいは、撮影設定コマンドが、ドロップ位置の近傍での顔検出を指示するものであった場合、カメラ１００はドロップ位置を中心として周辺の顔領域を検出し、検出された顔領域を合焦位置として求める。また、顔を含む範囲で測光し、露出パラメータを決定する。そして、ステップＳ２１３で、記憶部１１３に記憶された焦点検出パラメータや露出パラメータを更新する。
【００３５】
ステップＳ２１３において、上述のようにカメラ１００は、ステップＳ２１２で算出された撮影制御パラメータによって、記憶部１１３に記憶された既存の撮影制御パラメータを更新する。
【００３６】
次にステップＳ２１４において、カメラ１００は記憶部１１３に記憶された撮影制御パラメータにしたがって、被写体の撮影処理を実行する。例えば、焦点検出パラメータや露出パラメータにしたがって撮影動作を行う。また、撮影された映像をホワイトバランスパラメータにしたがって調整する。
【００３７】
ステップＳ２１５において、カメラ１００は通信部１１７を介してステップＳ２１４で撮影処理された被写体の映像データを画像処理装置１０１に送信する。ここで送信された映像データは、画像処理装置１０１のライブビュー領域３０１に表示される。
【００３８】
ステップＳ２１６において、カメラ１００は、本体のレリーズボタンが押下された、あるいは画像処理装置１０１からレリーズ指示を受信したかを検知する。
【００３９】
ステップＳ２１６でレリーズ指示を受けたと検知されたことに応答して、ステップＳ２１７において、カメラ１００はシャッターを開放する。
【００４０】
ステップＳ２１８において、カメラ１００はステップＳ２１７での撮影により得られた電気信号について、記憶部１１３に記憶された撮影制御パラメータにしたがって現像処理を実行し、画像ファイルを生成する。例えば、ホワイトバランスパラメータにしたがって現像処理の動作を行う。
【００４１】
ステップＳ２１９において、カメラ１００はステップＳ４１８で生成された画像ファイルを記憶部１１３に記録する。
【００４２】
以上説明したように、本実施形態によれば、ユーザは画像処理装置において、撮影設定アイコンをドラッグアンドドロップ操作するだけで、簡単にカメラの撮影制御パラメータの値や撮影制御の基準位置を一括して設定できるので、ユーザの利便性が向上する。
【００４３】
（第２の実施形態）
本実施形態では、画像処理装置１０１ではなく、カメラ１００自身において、撮影設定の変更を行う場合について説明する。以下、上述した第１の実施形態と同様の部分については説明を省略し、本実施形態に特有の部分について詳細に説明する。
【００４４】
本実施形態における、カメラ１００の動作について、図５のフローチャートを参照して説明する。
【００４５】
カメラ１００は電源を起動し、ライブビュー撮影モードが設定されると、図６（ａ）に示すようなライブビュー領域６０１を表示部１１６により表示装置に表示する。ライブビュー領域６０１には、現在、撮像部１１１が捉えている被写体の映像が表示されている。そして、撮影設定の変更モードへの切替えが指示されると、アイコン領域６０２に撮影設定アイコン６２１が一覧表示される。なお、６０３はレリーズボタン、６０４はファインダー、６０５は操作ボタンである。
【００４６】
ステップＳ５０１において、カメラ１００は操作部１１５を介して、図６（ｂ）に示すようにユーザがライブビュー領域６０１に撮影設定アイコン６２１をドロップしたか否かを検知する。ここで、操作部１１５としては表示装置が接触センサ付きディスプレイであり、タッチペン等によって操作され、入力情報が入力される。
【００４７】
ステップＳ５０１で撮影設定アイコン６２１がライブビュー領域６０１にドロップされたと検知されれば、ステップＳ５０２において、カメラ１００はドロップされた撮影設定アイコンと対応する撮影設定ファイルおよびドロップ位置情報を取得する。カメラ１００は撮影設定ファイルをインターネット上のＷｅｂサーバからダウンロードしたり、画像処理装置１０１から受信したり、カメラ１００上でユーザの設定操作により作成される等して、記憶部１１３に予め記憶している。
【００４８】
ステップＳ５０３において、カメラ１００はステップＳ５０２で取得したドロップ位置情報および撮影設定ファイルの各撮影設定項目の値を解析し、撮影制御パラメータを求める。
【００４９】
以降の処理は図２のステップＳ２１３〜Ｓ２１９と同様である。
【００５０】
以上説明したように、本実施形態によれば、ユーザはカメラにおいて、撮影設定アイコンをドラッグアンドドロップ操作するだけで、簡単にカメラの撮影制御パラメータの値や撮影制御の基準位置を一括して設定できるので、ユーザの利便性が向上する。
【００５１】
（第３の実施形態）
本実施形態では、画像処理装置１０１が画像ファイルに対して補正処理を実行する際の補正制御パラメータを設定する場合について説明する。
【００５２】
以下、図７のフローチャートを参照して説明する。以下の処理は画像処理装置１０１の制御部１１４がＯＳや画像補正ソフトウェアプログラムを記憶部１２１から読み出して起動し、それらにしたがって動作し、各種モジュールを制御することにより実現される。
【００５３】
本処理を開始する際に、画像処理装置１０１が補正処理ソフトウェアプログラムを起動すると、図８（ａ）に示すような補正処理画面８００が表示部１２４により表示装置に表示される。図８において８０１はプレビュー領域であり、８０２は各項目の設定欄である。プレビュー領域８０１には、画像処理装置１０１の記憶部１２１に記憶された画像ファイルの中からユーザにより選択された画像ファイルの画像が表示されている。
【００５４】
ステップＳ７０１において、画像処理装置１０１は、プレビュー領域８０１に補正設定アイコン８２１がドロップされたかどうか検知する。ドロップされたと検知したとき、ステップＳ７０２の処理に進む。
【００５５】
ステップＳ７０２において、画像処理装置１０１は補正設定アイコン８２１と対応する補正設定ファイルおよびドロップ位置情報を取得する。ここで、補正設定アイコンは補正設定ファイルと対応づけられている。また、補正設定ファイルには、図９に示すような画像補正時の設定項目についてその値が記述されている。例えば、図９（ａ）〜（ｄ）に示すような、ホワイトバランス、明るさ、コントラスト、色合い、色の濃さ、シャープネス等である。
【００５６】
なお、補正設定ファイルは画像ファイルであってもよく、この場合、当該画像ファイルに含まれる画像データの補正に用いられた各設定項目の値が利用される。
【００５７】
また、画像処理装置１０１は補正設定ファイルを、インターネット上のＷｅｂサーバからダウンロードしたり、カメラ１００から受信したり、画像処理装置１０１上でユーザの設定操作により作成される等して、記憶部１２１に予め記憶している。
【００５８】
次にステップＳ７０３において、画像処理装置１０１はステップＳ７０２で取得したドロップ位置情報および補正設定ファイルの設定項目の値に基づいて、補正制御パラメータを求める。
【００５９】
ステップＳ７０４において、画像処理装置１０１はステップＳ７０３で求められた補正制御パラメータを記憶部１２１に記録する。
【００６０】
ステップＳ７０５において、画像処理装置１０１はステップＳ７０４で記録された補正制御パラメータに基づいて、画像の補正処理を実行する。
【００６１】
例えば、クリックホワイトバランスがＯＮに設定されていれば、ドロップ位置が白になるようにホワイトバランスを補正する。あるいは、明るさ補正が設定されていれば、ドロップ位置を含む所定の領域を明るさ補正パラメータに合わせて補正する。あるいは、補正制御パラメータでコントラスト補正が設定されていれば、ドロップ位置を含む所定の領域をコントラスト補正パラメータに合わせて補正する。あるいは、補正制御パラメータで色合い補正が設定されていれば、ドロップ位置を含む所定の領域を色合い補正パラメータに合わせて補正する。あるいは、補正制御パラメータで色の濃さ補正が設定されていれば、ドロップ位置を含む所定の領域を色の濃さパラメータに合わせて補正する。あるいは、補正制御パラメータでシャープネス補正が設定されていれば、ドロップ位置を含む所定の領域をシャープネス補正パラメータに合わせてシャープネス補正する。あるいは、補正制御パラメータで赤目補正機能がＯＮに設定されていれば、ドロップ位置を含む所定の領域で瞳の領域を検出し、さらに、赤目が検出されたとき、瞳の色を黒や青等、所定の色に置換する。
【００６２】
ここで、上述したドロップ位置を含む所定の領域とは、例えばドロップ位置を中心として半径が画像全体の縦サイズの１０％の円領域である。また、所定の領域は上述した例に限らず、予め画像補正ソフトウェアプログラムまたは補正設定ファイルに保持されている条件によって決定されるようにしてもよい。
【００６３】
以上説明したように、本実施形態によれば、ユーザは画像処理装置において、補正設定アイコンをドラッグアンドドロップ操作するだけで、簡単に、画像補正処理に用いられる設定項目の値や基準位置を一括して設定できるので、ユーザの利便性が向上する。
【００６４】
（他の実施形態）
本発明の目的は上記実施形態の機能を実現するソフトウエアのプログラムコードを記録した記録媒体を、システム又は装置に供給し、そのシステム又は装置のコンピュータが記録媒体に格納されたプログラムコードを読み出し実行することによっても、達成される。ここで、コンピュータはＣＰＵ又はＭＰＵでもよい。この場合、記憶媒体から読み出されたプログラムコード自体が前述した実施形態の機能を実現することとなり、そのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００６６】
また、コンピュータが読み出したプログラムコードを実行することにより、上記実施形態の機能が実現されるだけではない。そのプログラムコードの指示に基づき、コンピュータ上で稼動しているＯｐｅｒａｔｉｎｇ  Ｓｙｓｔｅｍ（ＯＳ）などが実際の処理の一部または全部を行い、その処理によって上記実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書きこまれる。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００６８】
【図１】本発明の一実施形態におけるカメラおよび画像処理装置の機能構成の一例を示すブロック図である。
【図２】本発明の一実施形態におけるカメラおよび画像処理装置の動作の一例を示すフローチャート図である。
【図３】本発明の一実施形態における画像処理装置が表示する遠隔撮影制御画面の一例を示す図である。
【図４】本発明の一実施形態における撮影設定項目の一例を示す図である。
【図５】本発明の一実施形態におけるカメラ１００の動作の一例を示すフローチャート図である。
【図６】本発明の一実施形態におけるカメラが表示するライブビュー領域を示す図である。
【図７】本発明の一実施形態における画像処理装置の動作の一例を示すフローチャート図である。
【図８】本発明の一実施形態における補正処理画面の一例を示す図である。
【図９】本発明の一実施形態における補正設定項目の一例を示す図である。
【符号の説明】
【００６９】
１００  カメラ
１０１  画像処理装置
１１１  撮像部
１１２  現像部
１１３  記憶部
１１４  制御部
１１５  操作部
１１６  表示部
１１７  通信部
１２１  記憶部
１２２  制御部
１２３  通信部
１２４  表示部
１２５  操作部
【図１】
0004991462.tif 000002
【図２】
0004991462.tif 000003
【図３】
0004991462.tif 000004
【図４】
0004991462.tif 000005
【図５】
0004991462.tif 000006
【図６】
0004991462.tif 000007
【図７】
0004991462.tif 000008
【図８】
0004991462.tif 000009
【図９】
0004991462.tif 000010